(57)【要約】【課題】極めて良好な清掃性を実現可能であるとともに、ずれ動きの発生を効果的に抑制でき、優れた毛髪等の捕集能力を得ることができるヘアキャッチャー等を提供する。【解決手段】ヘアキャッチャー３は、第１リング部３１及び第２リング部３２と、両リング部３１，３２間に設けられた捕集部３３とを備える。両リング部３１，３２及び捕集部３３は、一体かつ薄肉である。少なくとも第１リング部３１及び捕集部３３は、一定の厚さを有し、これらの表面を含む仮想面ＶＳは、凹凸のない平滑面状に形成される。第１リング部３１の外周面は、被接触物としての排水口部材２に接触するテーパ状の上方側環状面３１Ａと、上方側環状面３１Ａよりも下方に位置し、上方側環状面３１Ａの傾斜角度α１よりも大きい傾斜角度α２で下方に向けて延び、上方側環状面３１Ａが排水口部材２に対してずれ動いたときに排水口部材２へと接触可能な下方側環状面３１Ｂとを備える。【選択図】      図２
2015101852.tif 000002
【特許請求の範囲】
【請求項１】
環状の第１リング部と、
前記第１リング部の内周に配置された環状の第２リング部と、
前記両リング部間に設けられるとともに、複数の孔部が形成された捕集部とを備え、
槽体の排水口に配置されるヘアキャッチャーであって、
前記両リング部及び前記捕集部は、一体に形成されるとともに、薄肉であり、
少なくとも前記第１リング部及び前記捕集部は、一定の厚さを有し、かつ、
少なくとも前記第１リング部の表面及び前記捕集部の表面を含む仮想面は、凹凸のない平滑面状に形成され、さらに、
前記第１リング部の外周面は、
前記槽体又は前記槽体に取付けられた部材である被接触物に接触し、下方に向けて外径が小さくなるテーパ状の上方側環状面と、
前記上方側環状面よりも下方に位置し、前記上方側環状面の傾斜角度よりも大きい傾斜角度で下方に向けて延びるとともに、少なくとも前記上方側環状面が自身の径方向に沿って前記被接触物に対してずれ動いたときに前記被接触物へと接触可能な下方側環状面と
を備えることを特徴とするヘアキャッチャー。
【請求項２】
前記下方側環状面は、前記第１リング部の径方向と直交する方向に沿って延びることを特徴とする請求項１に記載のヘアキャッチャー。
【請求項３】
前記下方側環状面の周方向全域が前記被接触物から離間可能に構成されており、
前記上方側環状面のみが前記被接触物に接触することで、前記被接触物により支持されることが可能であることを特徴とする請求項１又は２に記載のヘアキャッチャー。
【請求項４】
前記捕集部の表面を含む仮想面は、前記第１リング部から前記第２リング部側に向けて下方に湾曲する湾曲面状であることを特徴とする請求項１乃至３のいずれか１項に記載のヘアキャッチャー。
【請求項５】
前記両リング部及び前記捕集部は、金属からなることを特徴とする請求項１乃至４のいずれか１項に記載のヘアキャッチャー。
【請求項６】
前記捕集部は、前記孔部が六角形状をなすハニカム形状であることを特徴とする請求項１乃至５のいずれか１項に記載のヘアキャッチャー。
【請求項７】
前記第２リング部の内周に取付けられる樹脂製の筒状部材と、請求項１乃至６のいずれか１項に記載のヘアキャッチャーとからなるヘアキャッチャー構成体の製造方法であって、
前記筒状部材は、
それぞれ外周に向けて突出するとともに、軸方向に隔てて配設された上側突部及び下側突部を有する筒状の第１筒状部と、
前記下側突部を係止可能な被係止部を内周に有する筒状の第２筒状部とを備えるとともに、
前記上側突部は、その外径が前記第２リング部の内径よりも大きく、かつ、
前記下側突部は、径方向に沿って弾性変形可能に構成され、
前記第２リング部に前記第１筒状部を挿通し、前記上側突部と前記下側突部との間に前記第２リング部を配置した状態で、前記第２筒状部に前記第１筒状部を挿通し、前記被係止部に前記下側突部を係止するとともに、前記上側突部と前記第２筒状部の上端部との間で前記第２リング部を挟み込むことによって、前記ヘアキャッチャー構成体を得ることを特徴とするヘアキャッチャー構成体の製造方法。
【請求項８】
前記第１筒状部のうち、前記上側突部よりも前記下側突部側に位置する部位の外径が、前記第２リング部の内径よりも小さいことを特徴とする請求項７に記載のヘアキャッチャー構成体の製造方法。
【発明の詳細な説明】
【技術分野】
【０００１】
本発明は、洗面器や浴槽等の排水流路に設けられ、毛髪やゴミ等を捕集するためのヘアキャッチャー、及び、ヘアキャッチャーを有してなるヘアキャッチャー構成体の製造方法に関する。
【背景技術】
【０００２】
従来、槽体（例えば、洗面器や浴槽、流し台等）や槽体に取付けられた部材（例えば、排水口に挿設される排水口部材）である被接触物にヘアキャッチャーを載置し、排水口に流された毛髪やごみ等を捕集する手法が知られている。ヘアキャッチャーとしては、樹脂により形成されたものが広く知られており、例えば、被接触物に載置されることで支持される環状の第１リング部と、当該第１リング部の内周に位置する環状の第２リング部と、両リング部間に設けられ、毛髪やゴミ等を捕集するための捕集部（ネット部）とを備えたものが提案されている（例えば、特許文献１等参照）。
【０００３】
また、上記特許文献１に記載の技術において、前記捕集部は、平行に延びる複数のリブ（下側リブ）と、当該下側リブと直交する方向に延びるとともに、前記下側リブの上方に配置される複数のリブ（上側リブ）とを組み合わせてなる網目状の形状とされており、リブの間に形成された孔部が通水路をなすように構成されている。さらに、捕集部としては、通水路をなす円形状の孔部が複数形成されてなるものも知られている（例えば、特許文献２等参照）。
【０００４】
加えて、上記特許文献１に記載の技術においては、第１リング部が水平方向（ヘアキャッチャーの中心軸と直交する方向）に沿って延びるように構成されており、当該第１リング部が被接触物に接触することにより、ヘアキャッチャーが排水口において支持されるように構成されている。
【先行技術文献】
【特許文献】
【０００５】
【特許文献１】特開２０１０−３７９２０号公報
【特許文献２】特開２０１２−２５５２８８号公報
【発明の概要】
【発明が解決しようとする課題】
【０００６】
ところで、上述した従来技術においては、強度確保等を図るべく、ヘアキャッチャー自体が比較的厚肉に形成されたり、ヘアキャッチャーの一部に局所的に厚肉の部位（例えば、リブ）が設けられたりする。しかしながら、ヘアキャッチャーを厚肉に形成すると、ヘアキャッチャーの厚さ方向に沿った孔部の深さが比較的大きくなってしまい、ヘアキャッチャーを清掃するにあたって、捕集部のうち特に孔部を形成する面の清掃が非常に困難になってしまうおそれがある。さらに、ヘアキャッチャーの一部に厚肉の部位を設けると、清掃時に当該厚肉部位が邪魔となり、清掃性が低下してしまうおそれがある。
【０００７】
また、ヘアキャッチャーのずれ動きに伴い、ヘアキャッチャーの外周（第１リング部）と被接触物との間に隙間が形成されてしまい、ヘアキャッチャーの外周から毛髪やゴミ等が流れ落ちてしまうおそれがあるところ、上記特許文献１では、ヘアキャッチャーの背面外周側に下方に向けて突出する複数のリブを設け、当該リブが被接触物に接触することで、ヘアキャッチャーのずれ動きを防止する手法が提案されている。しかしながら、当該手法では、ヘアキャッチャーの一部に厚肉部位を設けた場合と同様に、清掃時にリブが邪魔となり、清掃性の低下を招いてしまうおそれがある。
【０００８】
本発明は、上記事情に鑑みてなされたものであり、その目的は、極めて良好な清掃性を実現することができるとともに、ずれ動きの発生を効果的に抑制することができ、優れた毛髪等の捕集能力を得ることができるヘアキャッチャー、及び、ヘアキャッチャーを有してなるヘアキャッチャー構成体の製造方法を提供することにある。
【課題を解決するための手段】
【０００９】
以下、上記目的を解決するのに適した各手段につき、項分けして説明する。なお、必要に応じて対応する手段に特有の作用効果を付記する。
【００１０】
手段１．環状の第１リング部と、
前記第１リング部の内周に配置された環状の第２リング部と、
前記両リング部間に設けられるとともに、複数の孔部が形成された捕集部とを備え、
槽体の排水口に配置されるヘアキャッチャーであって、
前記両リング部及び前記捕集部は、一体に形成されるとともに、薄肉であり、
少なくとも前記第１リング部及び前記捕集部は、一定の厚さを有し、かつ、
少なくとも前記第１リング部の表面及び前記捕集部の表面を含む仮想面は、凹凸のない平滑面状に形成され、さらに、
前記第１リング部の外周面は、
前記槽体又は前記槽体に取付けられた部材である被接触物に接触し、下方に向けて外径が小さくなるテーパ状の上方側環状面と、
前記上方側環状面よりも下方に位置し、前記上方側環状面の傾斜角度よりも大きい傾斜角度で下方に向けて延びるとともに、少なくとも前記上方側環状面が自身の径方向に沿って前記被接触物に対してずれ動いたときに前記被接触物へと接触可能な下方側環状面と
を備えることを特徴とするヘアキャッチャー。
【００１１】
尚、「薄肉」とあるのは、厚さが例えば１ｍｍ以下であることを意味する。また、「一定の厚さを有する」とあるのは、厳密に一定の厚さである場合のみならず、各部の厚さに若干（例えば、０．３ｍｍ以下）の違いがある場合も含む。
【００１２】
さらに、第２リング部は、厳密な環状でなくてもよく、一部に孔部を有する等、不連続な環状であってもよい。
【００１３】
加えて、「上方側環状面の傾斜角度」とあるのは、ヘアキャッチャーを理想的な位置に配置した状態において、第１リング部の中心軸を含む断面における、上方側環状面のうち被接触物に接する部位の接線と、前記中心軸に直交する直線とのなす角のうち鋭角の角度をいう。尚、前記中心軸を含む断面において、上方側環状面の外形線が直線状をなす場合、「上方側環状面の傾斜角度」は、前記中心軸を含む断面における、上方側環状面の外形線（を延長した直線）と前記中心軸に直交する直線とのなす角のうち鋭角の角度をいう。
【００１４】
また、「下方側環状面の傾斜角度」とあるのは、前記中心軸を含む断面において、下方側傾斜面のうちヘアキャッチャーがずれ動いたときに被接触物へと接触する部位の接線と、前記中心軸に直交する直線とのなす角のうち鋭角又は直角の角度をいう。尚、前記中心軸を含む断面において、下方側環状面の外形線が直線状をなす場合、「下方側環状面の傾斜角度」は、前記中心軸を含む断面における、下方側環状面の外形線（を延長した直線）と前記中心軸に直交する直線とのなす角のうち鋭角又は直角の角度をいう。
【００１５】
上記手段１によれば、少なくとも第１リング部及び捕集部は、一定の厚さを有するとともに、少なくとも第１リング部の表面及び捕集部の表面を含む仮想面は、凹凸のない平滑面状に形成されている。つまり、第１リング部及び捕集部の表面及び裏面は、孔部を除いて凹凸のない状態となっている。従って、ヘアキャッチャーの清掃時に、布やブラシ等の引っ掛かりが生じにくく、良好な清掃性を得ることができる。
【００１６】
さらに、上記手段１によれば、捕集部等が薄肉であるため、孔部の深さを著しく小さくすることができる。従って、ヘアキャッチャーを清掃する際に、布やブラシ等により捕集部の表面や裏面をこすることで、特に意識することなく、布やブラシ等が捕集部のうち孔部を形成する面の深さ方向の大部分に届くこととなる。その結果、清掃が非常に容易となり、清掃性を一段と向上させることができる。
【００１７】
加えて、上記手段１によれば、被接触物に接触する上方側環状面が、下方に向けて外径の小さくなるテーパ状となるように構成されている。従って、ヘアキャッチャーの自重により、被接触物から上方側環状面に対してヘアキャッチャーの中心軸側に向けた力が加わることとなる。そのため、ヘアキャッチャーの径方向に沿ったずれ動きを効果的に抑制することができる。また、仮にヘアキャッチャーに多少のずれ動きが生じたとしても、下方側環状面が被接触物に接触することで、ヘアキャッチャーのそれ以上のずれ動きを抑制することができる。特に上記手段１では、下方側環状面の傾斜角度は上方側環状面の傾斜角度よりも大きい（つまり、下方側環状面が上方側環状面よりも立った状態である）ため、ヘアキャッチャーのそれ以上の移動を効果的に規制することができる。これらの結果、第１リング部と被接触物との間に隙間が生じてしまうことをより確実に防止でき、毛髪やごみ等の捕集能力を一層高めることができる。
【００１８】
手段２．前記下方側環状面は、前記第１リング部の径方向と直交する方向に沿って延びることを特徴とする手段１に記載のヘアキャッチャー。
【００１９】
尚、「第１リング部の径方向と直交する方向に沿って延びる」とあるのは、第１リング部の中心軸を含む断面において、下方側傾斜面のうちヘアキャッチャーがずれ動いたときに被接触物へと接触する部位の接線が、前記中心軸に直交する直線（直交直線）に直交することをいう。また、「直交直線に直交」とあるのは、下方側傾斜面のうちヘアキャッチャーがずれ動いたときに被接触物へと接触する部位の接線が厳密に第１リング部の径方向と直交する方向（第１リング部の中心軸方向）に沿って延びる場合だけでなく、前記接線が前記径方向に直交する方向に対して若干傾いている場合〔例えば、第１リング部の中心軸を含む断面において、前記接線と前記中心軸と直交する方向に延びる直線（直交直線）とのなす角のうち鋭角の角度が８０°以上９０°未満となっている場合〕も含む。
【００２０】
上記手段２によれば、ヘアキャッチャーがずれ動いたときの移動方向（径方向）とほぼ直交する方向に下方側環状面が延びるように構成されている。従って、ヘアキャッチャーのずれ動きに伴い下方側環状面が被接触物に接触した際に、ヘアキャッチャーのそれ以上の移動を一層効果的に規制することができる。これにより、第１リング部と被接触物との間に隙間が生じてしまうことを一層確実に抑制でき、毛髪等の捕集能力を一層高めることができる。
【００２１】
手段３．前記下方側環状面の周方向全域が前記被接触物から離間可能に構成されており、
前記上方側環状面のみが前記被接触物に接触することで、前記被接触物により支持されることが可能であることを特徴とする手段１又は２に記載のヘアキャッチャー。
【００２２】
上記手段３によれば、上方側環状面のみを被接触部に接触させることにより、被接触部に対する第１リング部の接触圧力を増大させることができる。これにより、被接触部に対する第１リング部の密着性をより高めることができ、第１リング部と被接触部との間から毛髪等が流れてしまうといった事態をより確実に防止することができる。その結果、毛髪等の捕集能力を一層高めることができる。
【００２３】
手段４．前記捕集部の表面を含む仮想面は、前記第１リング部から前記第２リング部側に向けて下方に湾曲する湾曲面状であることを特徴とする手段１乃至３のいずれかに記載のヘアキャッチャー。
【００２４】
上記手段４によれば、捕集部の表面を含む仮想面に凹凸がないことと相まって、第１リング部や捕集部に付着した水は、捕集部を伝わって、捕集部の最も底側に位置する第２リング部側へと自然に集められ、さらに、集められた水が孔部を通って排出されることとなる。従って、ヘアキャッチャーを比較的早期に乾燥させることができる。その結果、雑菌等の繁殖を効果的に抑制することができ、衛生性を向上させることができる。
【００２５】
また、捕集部の表面がいわば指の腹に沿う形状となるため、指の腹を使って布等によりヘアキャッチャー表面の汚れ等を拭き取る際において、捕集部に対して押し当てられる布等の面積をより増大させることができる。従って、一拭きでより多くの汚れを拭き取ることができ、清掃性の更なる向上を図ることができる。
【００２６】
手段５．前記両リング部及び前記捕集部は、金属からなることを特徴とする手段１乃至４のいずれかに記載のヘアキャッチャー。
【００２７】
上記手段５によれば、ヘアキャッチャーの強度向上をより確実に図ることができ、ヘアキャッチャーの破損防止を図ることができる。
【００２８】
加えて、上記手段５によれば、ヘアキャッチャーの自重が大きなものとなり、被接触物から上方側環状面に対して、ヘアキャッチャーの中心軸側に向けて加わる力をより大きなものとすることができる。従って、ヘアキャッチャーの径方向に沿ったずれ動きを一層効果的に抑制することができ、毛髪等の捕集能力をより一層高めることができる。
【００２９】
また、上記手段３の構成を合わせて採用した場合には、ヘアキャッチャーの自重によって、被接触部に対する第１リング部の接触圧力を一段と増大させることができる。これにより、被接触部に対する第１リング部の密着性をより一層高めることができ、毛髪等の捕集能力の更なる向上を図ることができる。
【００３０】
さらに、ヘアキャッチャーの比重を十分に大きくすることができるため、排水時におけるヘアキャッチャーの浮き上がりが極めて生じにくくなり、毛髪等をより確実に捕集することができる。
【００３１】
手段６．前記捕集部は、前記孔部が六角形状をなすハニカム形状であることを特徴とする手段１乃至５のいずれかに記載のヘアキャッチャー。
【００３２】
捕集部に孔部を設けるにあたっては、例えば、第２リング部から第１リング部へと放射状に延びる複数のリブを設けることで、隣接するリブ間に前記孔部を形成することが考えられる。しかしながら、この場合には、外周側においてリブ間の隙間が比較的大きなものとなってしまう。そのため、捕集部の外周側において、毛髪等の捕集能力に若干の不足が生じてしまうことが考えられる。
【００３３】
これに対して、捕集能力の向上を図るべく、例えば、孔部を円形状とすることで、捕集部のほぼ全域において各孔部の面積を一定とすることが考えられる。しかしながら、この場合には、強度面を考慮して、捕集部の孔部間に位置する部位のうち最も幅狭の部分の幅をある程度の大きさ確保すると、結果的に、捕集部の孔部間に位置する部位のうち最も幅広の部分の幅が著しく大きくなってしまう。そのため、通水面積（孔部の合計面積）が小さくなってしまい、良好な排水能力を得ることが難しくなってしまうおそれがある。
【００３４】
この点、上記手段６によれば、捕集部は、孔部が六角形状をなすハニカム形状とされている。従って、捕集部のほぼ全域において各孔部の面積を一定とすることができ、毛髪等の捕集能力を一層向上させることができる。また、捕集部の孔部間に位置する部位の幅がほぼ一定となり、一部の幅が著しく大きくなってしまうといった事態が生じない。そのため、捕集部の強度確保を図りつつ、通水面積を効果的に大きくすることができ、良好な排水能力を実現することができる。
【００３５】
手段７．前記第２リング部の内周に取付けられる樹脂製の筒状部材と、手段１乃至６のいずれかに記載のヘアキャッチャーとからなるヘアキャッチャー構成体の製造方法であって、
前記筒状部材は、
それぞれ外周に向けて突出するとともに、軸方向に隔てて配設された上側突部及び下側突部を有する筒状の第１筒状部と、
前記下側突部を係止可能な被係止部を内周に有する筒状の第２筒状部とを備えるとともに、
前記上側突部は、その外径が前記第２リング部の内径よりも大きく、かつ、
前記下側突部は、径方向に沿って弾性変形可能に構成され、
前記第２リング部に前記第１筒状部を挿通し、前記上側突部と前記下側突部との間に前記第２リング部を配置した状態で、前記第２筒状部に前記第１筒状部を挿通し、前記被係止部に前記下側突部を係止するとともに、前記上側突部と前記第２筒状部の上端部との間で前記第２リング部を挟み込むことによって、前記ヘアキャッチャー構成体を得ることを特徴とするヘアキャッチャー構成体の製造方法。
【００３６】
上記手段７によれば、特別な工具などを用いることなく、筒状部材に対してヘアキャッチャーを容易に取付けることができ、ヘアキャッチャー構成体を容易に製造することができる。また、製造時にヘアキャッチャーに大きな負荷が加わることがなく、ヘアキャッチャーが薄肉であっても、その変形や破損をより確実に防止することができる。
【００３７】
さらに、ヘアキャッチャー構成体を製造するにあたっては、例えば、インサート成形により、ヘアキャッチャーと筒状部材とを一体化させる手法が考えられるが、当該手法では、製造に係るコストが比較的大きくなってしまうおそれがある。この点、上記手段７によれば、簡易な手法によりヘアキャッチャー構成体を得ることができるため、製造コストの効果的な低減を図ることができる。
【００３８】
さらに、上記手段７によれば、下側突部を弾性変形させ、被係止部に対する下側突部の係止を解除しつつ、第２筒状部から第１筒状部を抜き取ることで、ヘアキャッチャーと筒状部材とを分離することが比較的容易に可能である。従って、ヘアキャッチャーと筒状部材とを分離した上で、両者をそれぞれ清掃することが可能となり、清掃性の向上を図ることができる。
【００３９】
手段８．前記第１筒状部のうち、前記上側突部よりも前記下側突部側に位置する部位の外径が、前記第２リング部の内径よりも小さいことを特徴とする手段７に記載のヘアキャッチャー構成体の製造方法。
【００４０】
上記手段８によれば、第１筒状部を変形させることなく、第１筒状部のうち上側突部よりも下側突部側に位置する部位を第２リング部へとスムーズに挿通することができる。従って、第２リング部に第１筒状部を挿通し、上側突部と下側突部との間に第２リング部を配置することが非常に容易となり、その結果、ヘアキャッチャー構成体の製造を一層容易に行うことができる。また、製造時にヘアキャッチャーに対して負荷がより加わりにくくなり、ヘアキャッチャーが薄肉であっても、その変形や破損を一層確実に防止することができる。
【図面の簡単な説明】
【００４１】
【図１】排水栓装置の構成を示す断面図である。
【図２】ヘアキャッチャーの構成を示す拡大断面図である。
【図３】ヘアキャッチャーの拡大断面端面図である。
【図４】ヘアキャッチャーの構成を示す拡大平面図である。
【図５】筒状部材、及び、筒状部材に取付けられたヘアキャッチャーを示す拡大断面図である。
【図６】（ａ），（ｂ）は、筒状部材に対するヘアキャッチャーの取付方法を説明するための断面模式図である。
【図７】別の実施形態におけるヘアキャッチャーの構成を示す図であって、（ａ）は拡大断面図であり、（ｂ）は拡大平面図であり、（ｃ）は使用状態を示す断面図である。
【図８】別の実施形態におけるヘアキャッチャーの構成を示す図であって、（ａ）は拡大断面図であり、（ｂ）は拡大平面図であり、（ｃ）は使用状態を示す断面図である。
【図９】別の実施形態におけるヘアキャッチャーの構成を示す図であって、（ａ）は拡大断面図であり、（ｂ）は拡大平面図である、（ｃ）は使用状態を示す断面図である。
【図１０】別の実施形態における筒状部材の構成を示す拡大断面図である。
【発明を実施するための形態】
【００４２】
以下に、一実施形態について図面を参照しつつ説明する。排水栓装置１は、槽体としての洗面器１００に取付けられており、被接触物としての排水口部材２と、ヘアキャッチャー構成体９と、栓蓋５とを備えている。尚、洗面器１００は、成形品であり、その底壁部１０１に、洗面器１００内の水を排出するための排水口１０２を備えている。
【００４３】
排水口部材２は、樹脂等により筒状に形成されており、外周面に設けられた雄ねじ部２１と、自身の上端部から外周側に突出する環状の鍔部２２とを備えている。また、排水口部材２は、前記雄ねじ部２１を外周に有する筒状部位が排水口１０２に挿通されるとともに、前記鍔部２２が底壁部１０１上に配置された状態で、排水口１０２に挿設されている。
【００４４】
また、排水口部材２は、内周に前記雄ねじ部２１を螺合可能な雌ねじ部６１を有する筒状の取付部材６に螺合されており、鍔部２２及び取付部材６間において前記底壁部１０１を挟み込んだ状態で、洗面器１００に固定されている。また、底壁部１０１の背面と、取付部材６の上端面との間には、ゴムや樹脂等の弾性材料からなる環状のシール部材７が設けられている。シール部材７は、取付部材６に対する排水口部材２の螺合に伴い、底壁部１０１の背面及び取付部材６の上端面で挟圧された状態となっており、その結果、排水時における漏水防止が図られている。また、本実施形態では、漏水防止をより確実に図るべく、前記鍔部２２と底壁部１０１の表面との間に、弾性材料からなる環状のシール部材８が配置されている。
【００４５】
加えて、排水口部材２の下方側には、洗面器１００から排出される水の流路となる筒状の配管（図示せず）が直列的に取付けられている。また、前記配管又は排水口部材２には、上下方向に相対移動可能な棒状の支持軸（図示せず）を備えた支持軸機構（図示せず）が、所定の支持部材（図示せず）を介して取付けられている。尚、前記支持軸機構には、押しボタン等により構成された操作部（図示せず）の変位を前記支持軸に伝達するための図示しない伝達部材（例えば、金属製のワイヤー）が接続されている。そして、前記操作部の操作に伴い、前記伝達部材を介して上昇端（実際には、上昇端よりも若干下方）における前記支持軸のロックと、ロック解除に伴う前記支持軸の下降とが交互に行われるようになっている。
【００４６】
ヘアキャッチャー構成体９は、ヘアキャッチャー３と、当該ヘアキャッチャー３に取付けられた筒状部材４とを備えている。
【００４７】
ヘアキャッチャー３は、例えばＳＵＳ等の金属により形成されており、図２に示すように、その最外周に位置する環状の第１リング部３１と、当該第１リング部３１の内周に位置する環状の第２リング部３２と、両リング部３１，３２間に設けられた捕集部３３とを備えている。
【００４８】
また、両リング部３１，３２及び捕集部３３（つまり、ヘアキャッチャー３の全体）は、一体に形成されるとともに、厚さが所定値（例えば、１ｍｍ）以下とされている。尚、十分な強度を確保するという面では、両リング部３１，３２及び捕集部３３の厚さを０．３ｍｍ以上とすることが好ましい。
【００４９】
さらに、本実施形態では、少なくとも第１リング部３１及び捕集部３３は一定の厚さを有するように構成されている。尚、「一定の厚さ」とあるのは、厳密に一定である場合のみならず、厚さに若干（例えば、０．３ｍｍ以下）の違いが存在する場合も含む。
【００５０】
加えて、図３に示すように、少なくとも第１リング部３１の表面及び捕集部３３の表面（本実施形態では、ヘアキャッチャー３全体の表面）を含む仮想面ＶＳ（図３中、太線で示す部位）は、凹凸のない平滑面状に形成されている。そして、上述の通り、第１リング部３１及び捕集部３３は一定の厚さを有していることから、第１リング部３１及び捕集部３３は、表面及び裏面の両面ともに突起の存在しない形状となっている。
【００５１】
さらに、第１リング部３１は、図２及び図３に示すように、その外周面に、上方側に位置する上方側環状面３１Ａと、当該上方側環状面３１Ａよりも下方に位置する下方側環状面３１Ｂとを備えている。
【００５２】
上方側環状面３１Ａは、下方に向けて外径が小さくなるテーパ状をなしている。そして、上方側環状面３１Ａが排水口部材２に載置されることで、排水口部材２の内周（つまり、排水流路）においてヘアキャッチャー３が支持された状態となっている。
【００５３】
下方側環状面３１Ｂは、上方側環状面３１Ａ（ヘアキャッチャー３）が排水口部材２に対してずれ動いたときに、排水口部材２の内周面と接触可能に構成されている。本実施形態では、排水口部材２の中心軸と前記中心軸ＣＬ１とを一致させた状態で排水口部材２に対して上方側環状面３１Ａを載置した（つまり、ヘアキャッチャー３を傾きや軸ずれのない理想的な位置に配置した）場合、下方側環状面３１Ｂと排水口部材２との間の距離が十分に小さく（例えば、１ｍｍ以下と）なるように構成されており、上方側環状面３１Ａ（ヘアキャッチャー３）が僅かにずれ動いたときであっても、下方側環状面３１Ｂが排水口部材２の内周面に接触し、ヘアキャッチャー３のそれ以上の移動を規制できるように構成されている。
【００５４】
また、下方側環状面３１Ｂは、上方側環状面３１Ａの傾斜角度α１（°）よりも大きな傾斜角度α２（°）で下方に向けて延びるように構成されている。尚、本実施形態のように、第１リング部３１の中心軸ＣＬ１を含む断面において、上方側環状面３１Ａの外形線、及び、下方側環状面３１Ｂの外形線がそれぞれ直線状をなしている場合において、傾斜角度α１は、前記中心軸ＣＬ１を含む断面において、上方側環状面３１Ａの外形線を延長した直線Ｌ１と、前記中心軸ＣＬ１に直交する直線Ｌ３とのなす角のうち鋭角の角度をいう。また、傾斜角度α２は、前記中心軸ＣＬ１を含む断面において、下方側環状面３１Ｂの外形線を延長した直線Ｌ２と、前記直線Ｌ３とのなす角のうち鋭角又は直角の角度をいう。
【００５５】
尚、上方側環状面３１Ａの外形線、及び、下方側環状面３１Ｂの外形線が湾曲又は屈曲していてもよい。上方側環状面３１Ａの外形線が湾曲又は屈曲している場合、傾斜角度α１は、ヘアキャッチャー３を軸ずれや傾きのない理想状態で配置したときに、前記中心軸ＣＬ１を含む断面において、上方側環状面３１Ａのうち排水口部材２に接触する部位の接線と、前記直線Ｌ３とのなす角のうち鋭角の角度をいう。また、下方側環状面３１Ｂの外形線が湾曲又は屈曲している場合、傾斜角度α２は、前記中心軸ＣＬ１を含む断面において、下方側環状面３１Ｂのうちヘアキャッチャー３がずれ動いた際に排水口部材２に接触する部位の接線と、前記直線Ｌ３とのなす角のうち鋭角又は直角の角度をいう。
【００５６】
さらに、本実施形態において、下方側環状面３１Ｂは、第１リング部３１（ヘアキャッチャー３）の径方向と直交する方向（前記中心軸ＣＬ１方向）に延びている。尚、「第１リング部３１の径方向と直交する方向に沿って延びる」とあるのは、前記中心軸ＣＬ１を含む断面において、下方側傾斜面３１Ｂのうちヘアキャッチャー３がずれ動いたときに排水口部材２（被接触物）へと接触する部位の接線が、前記中心軸ＣＬ１に直交する直線Ｌ３と直交することをいう。但し、「直線Ｌ３と直交」とあるのは、下方側傾斜面３１Ｂのうちヘアキャッチャー３がずれ動いたときに排水口部材２へと接触する部位の接線が厳密に第１リング部３１の径方向と直交する方向（前記中心軸ＣＬ１方向）に沿って延びる場合（つまり、傾斜角度α２が９０°である場合）だけでなく、前記接線が前記径方向と直交方向に対して若干傾いている場合（例えば、傾斜角度α２が８０°以上９０°未満となっている場合）も含む。
【００５７】
加えて、下方側環状面３１Ｂは、その外周面全域が排水口部材２の内周面から離間可能に構成されている。詳述すると、下方側環状面３１Ｂは、その外径が排水口部材２の内径よりも小さなものとされており、ヘアキャッチャー３を軸ずれや傾きのない理想的な位置に配置したときに、下方側環状面３１Ｂの外周面全域が排水口部材２の内周面から離間するように構成されている。そして、下方側環状面３１Ｂの外周面全域が排水口部材２の内周面から離間している状態では、上方側環状面３１Ａのみが排水口部材２に接触することで、ヘアキャッチャー３が支持されるようになっている。
【００５８】
第２リング部３２は、その厚さが第１リング部３１及び捕集部３３の厚さよりも若干小さくなるように構成されており、その内周に前記筒状部材４が配置されている（図１参照）。また、第２リング部３２は、その内周部分が前記中心軸ＣＬ１側に向けて上方に湾曲するように構成されており、第２リング部３２の最内周部が筒状部材４の後述する上側突部４１Ａに接触している。尚、第２リング部３２は、必ずしも連続的な環状である必要はなく、例えば、一部に孔部が形成されている等、非連続的な環状であってもよい。
【００５９】
捕集部３３は、通水用の孔部３３Ａを複数備えており、主に当該捕集部３３において、排水に含まれる毛髪やゴミ等が捕集されるようになっている。さらに、捕集部３３の表面を含む仮想面は、第１リング部３１から第２リング部３２側に向けて下方に湾曲するとともに、下方に向けて凸の湾曲面状とされている。
【００６０】
さらに、図４に示すように、孔部３３Ａのうち捕集部３３の最外周部及び最内周部に位置するもの以外は、それぞれ同一の六角形状をなすように構成されており、捕集部３３はハニカム形状とされている。
【００６１】
図１に戻り、筒状部材４は、円筒状の第１筒状部４１と、当該第１筒状部４１が挿通された円筒状の第２筒状部４２とにより構成されている。
【００６２】
第１筒状部４１は、弾性変形可能な所定の樹脂により形成されるとともに、自身の内周に栓蓋５の後述する蓋軸５３が挿通されている。また、第１筒状部４１の内周面には、軸方向に沿って延びるとともに、周方向に沿って間欠的に形成された複数の溝部４１Ｃ（図５参照）が形成されている。この溝部４１Ｃによって、蓋軸５３は、第１筒状部４１の内周においてスムーズに上下動可能となっており、蓋軸５３の上下動に伴い、筒状部材４ひいてはヘアキャッチャー３が上下動してしまう（第１リング部３１が排水口部材２から浮いてしまう）ことをより確実に防止できるようになっている。
【００６３】
さらに、図５に示すように、第１筒状部４１は、その外周に、それぞれ外周に向けて突出するとともに、軸方向に隔てて配設された上側突部４１Ａ及び下側突部４１Ｂを具備している。
【００６４】
上側突部４１Ａは、環状をなすとともに、その外径が前記第２リング部３２の内径よりも大きなものとされている。尚、上側突部４１Ａは、必ずしも環状である必要はなく、例えば、周方向に沿って間欠的に形成された複数の突起により上側突部４１Ａを形成してもよい。複数の突起により上側突部４１Ａを形成した場合、上側突部４１Ａの外径とは、各突起の最外周を通る仮想円の直径をいう。
【００６５】
下側突部４１Ｂは、環状をなすとともに、第１筒状部４１の下端部に設けられている。また、上述の通り、第１筒状部４１が弾性変形可能な樹脂により形成されていることから、下側突部４１Ｂは、径方向に沿って弾性変形可能となっている。尚、下側突部４１Ｂは、必ずしも環状である必要はなく、例えば、周方向に沿って間欠的に形成された複数の突起により下側突部４１Ｂを形成してもよい。
【００６６】
また、本実施形態では、第１筒状部４１のうち、上側突部４１Ａよりも下側突部４１Ｂ側に位置する部位の外径（最大外径）Ｄ１が、第２リング部３２の内径Ｄ２よりも小さくなるように構成されている。
【００６７】
第２筒状部４２は、所定の樹脂により形成されており、自身の内周に内周側に向けて突出する環状の被係止部４２Ａを備えている。また、被係止部４２Ａは、その内径が、非弾性変形状態における下側突部４１Ｂの外径よりも小さなものとされており、被係止部４２Ａの下面に対して下側突部４１Ｂが係止可能となっている。さらに、第２筒状部４２の上端部は、径方向外側に若干突出した鍔状とされている。
【００６８】
また、ヘアキャッチャー３は、自身の第２リング部３２の内周に第１筒状部４１が配置されるとともに、上側突部４１Ｂと第２筒状部４２とによって挟み込まれた状態で、筒状部材４へと取付けられている。ここで、ヘアキャッチャー３及び筒状部材４からなるヘアキャッチャー構成体９の製造方法について説明する。
【００６９】
まず、図６（ａ）に示すように、第２リング部３２に第１筒状部４１を挿通するとともに、上側突部４１Ａと下側突部４１Ｂとの間に第２リング部３２が配置された状態とした上で、第２筒状部４２に対してその上端側から第１筒状部４１を挿通していく。そして、第２筒状部４２に対する第１筒状部４１の挿通を進めていき、被係止部４２Ａへと下側突部４１Ｂが至ると、図６（ｂ）に示すように、被係止部４２Ａに沿って下側突部４１Ｂが径方向内側に向けて弾性変形していく。さらに、第２筒状部４２に対する第１筒状部４１の挿通を一層進めていき、下側突部４１Ｂが被係止部４２Ａを通過すると、下側突部４１Ｂの弾性変形が解除され、図５に示すように、下側突部４１Ｂが被係止部４２Ａに係止されることとなる。そして、上側突部４１Ａと第２筒状部４２の上端部（鍔状部分）との間で第２リング部３２が挟み込まれ、筒状部材４に対してヘアキャッチャー３が取付けられることとなる。
【００７０】
尚、下側突部４１Ｂが被係止部４２Ａに係止されることで、第２筒状部４２から第１筒状部４１が容易に抜けてしまうことを防止でき、その結果、上側突部４１Ａ及び第２筒状部４２の上端部によって、ヘアキャッチャー３をより確実に挟み込んで保持できるようになっている。特に本実施形態では、第２筒状部４２の上端部が鍔状をなすため、ヘアキャッチャー３の挟み込み保持がより確実になされ、筒状部材４に対するヘアキャッチャー３のガタツキが発生しにくい構成となっている。
【００７１】
また、筒状部材４からヘアキャッチャー３を取外す際には、下側突部４１Ｂを径方向内側に弾性変形させ、被係止部４２Ａに対する下側突部４１Ｂの係止を解除しつつ、第２筒状部４２から第１筒状部４１を抜き取ることによって、ヘアキャッチャー３を取付部材４から容易に取外すことができる。
【００７２】
図１に戻り、栓蓋５は、ＰＯＭ等の樹脂からなる傘状部５１と、当該傘状部５１の外周側背面に設けられた弾性変形可能な素材（例えば、樹脂やゴム等）からなる環状のパッキン５２とを備えている。前記傘状部５１は、その表面がなだらかに湾曲する形状をなしており、洗面器１００の表面に露出している。尚、外観品質の向上を図るべく、傘状部５１の表面を金属製の被覆部（図示せず）で覆うこととしてもよい。
【００７３】
パッキン５２は、排水口１０１の閉時に、その外周部分の全周が排水口部材２に対して接触するようになっている。
【００７４】
また、栓蓋５は、傘状部５１の背面中央から下方に向けて延びる棒状の蓋軸５３を備えている。蓋軸５３の下端部は、少なくとも前記支持軸が上方へと移動した状態において、前記支持軸の上端部と接触可能に構成されており、前記支持軸の上下動に伴い、蓋軸５３ひいては栓蓋５が、上下動するように構成されている。そして、前記操作部を操作する度に、栓蓋５の上昇・下降（排水口１０１の開閉）が交互に行われるようになっている。
【００７５】
以上詳述したように、本実施形態によれば、第１リング部３１及び捕集部３３の表面及び裏面は、孔部３３Ａを除いて凹凸のない状態となっている。従って、ヘアキャッチャー３の清掃時に、布やブラシ等の引っ掛かりが生じにくく、良好な清掃性を得ることができる。
【００７６】
さらに、捕集部３３等が薄肉であるため、孔部３３Ａの深さを著しく小さくすることができる。従って、ヘアキャッチャー３を清掃する際に、布やブラシ等により捕集部３３の表面や裏面をこすることで、特に意識することなく、布やブラシ等が捕集部３３のうち孔部３３Ａを形成する面の深さ方向の大部分に届くこととなる。その結果、清掃が非常に容易となり、清掃性を一段と向上させることができる。尚、清掃性の更なる向上という観点では、捕集部３３等をより薄肉とすることが好ましく、例えば、捕集部３３等の厚さを０．８ｍｍ以下とすることがより好ましい。
【００７７】
加えて、上方側環状面３１Ａが、下方に向けて外径の小さくなるテーパ状とされているため、ヘアキャッチャー３の自重により、排水口部材２から上方側環状面３１Ａに対してヘアキャッチャー３の中心軸側に向けた力を加わることができる。そのため、ヘアキャッチャー３の径方向に沿ったずれ動きを効果的に抑制することができる。また、仮にヘアキャッチャー３に多少のずれ動きが生じたとしても、下方側環状面３１Ｂが排水口部材２に接触することで、ヘアキャッチャー３のそれ以上のずれ動きを抑制することができる。特に本実施形態では、下方側環状面３１Ｂの傾斜角度α２は上方側環状面３１Ａの傾斜角度α１よりも大きいため、ヘアキャッチャー３のそれ以上の移動を効果的に規制することができる。これらの結果、第１リング部３１と排水口部材２との間に隙間が生じてしまうことをより確実に防止でき、毛髪やごみ等の捕集能力を一層高めることができる。
【００７８】
加えて、本実施形態では、下方側環状面３１Ｂは、第１リング部３１の径方向と直交する方向、つまり、ヘアキャッチャー３がずれ動いたときの移動方向（径方向）とほぼ直交する方向に延びるように構成されている。従って、ヘアキャッチャー３のずれ動きに伴い下方側環状面３１Ｂが排水口部材２に接触した際に、ヘアキャッチャー３のそれ以上の移動を一層効果的に規制することができる。これにより、第１リング部３１と排水口部材２との間に隙間が生じてしまうことを一層確実に抑制でき、毛髪等の捕集能力を一層高めることができる。
【００７９】
さらに、本実施形態では、上方側環状面３１Ａのみを排水口部材２に接触させることによって、ヘアキャッチャー３が支持されるように構成されている。従って、排水口部材２に対する第１リング部３１の接触圧力を増大させることができ、排水口部材２に対する第１リング部３１の密着性をより高めることができる。その結果、第１リング部３１と排水口部材２との間から毛髪等が流れてしまうといった事態をより確実に防止することができ、毛髪等の捕集能力をさらに高めることができる。
【００８０】
また、捕集部３３の表面を含む仮想面は湾曲面状であるため、捕集部３３の表面を含む仮想面に凹凸がないことと相まって、第１リング部３１や捕集部３３に付着した水は、捕集部３３を伝わって、捕集部３３の最も底側に位置する第２リング部３２側へと自然に集められ、さらに、集められた水が孔部３３Ａを通って排出されることとなる。従って、ヘアキャッチャー３を比較的早期に乾燥させることができる。その結果、雑菌等の繁殖を効果的に抑制することができ、衛生性を向上させることができる。
【００８１】
加えて、捕集部３３の表面がいわば指の腹に沿う形状となるため、指の腹を使って布等によりヘアキャッチャー３表面の汚れ等を拭き取る際において、捕集部３３に対して押し当てられる布等の面積をより増大させることができる。従って、一拭きでより多くの汚れを拭き取ることができ、清掃性の更なる向上を図ることができる。
【００８２】
さらに、ヘアキャッチャー３が金属製であることから、ヘアキャッチャー３の自重が大きなものとなり、排水口部材２から上方側環状面３１Ａに対して、ヘアキャッチャー３の中心軸側に向けて加わる力をより大きくすることができる。従って、ヘアキャッチャー３のずれ動きを一層効果的に抑制することができ、毛髪等の捕集能力をより一層高めることができる。
【００８３】
また、ヘアキャッチャー３を金属製とすることで、ヘアキャッチャー３の強度向上をより確実に図ることができ、ヘアキャッチャー３の破損防止を図ることができる。
【００８４】
さらに、本実施形態のように、上方側環状面３１Ａのみを排水口部材２に接触させることにより、ヘアキャッチャー３が支持されるように構成した場合には、金属により形成されたヘアキャッチャー３の自重によって、排水口部材２に対する第１リング部３１の接触圧力を一段と増大させることができる。これにより、排水口部材２に対する第１リング部３１の密着性をより一層高めることができ、毛髪等の捕集能力の更なる向上を図ることができる。
【００８５】
さらに、ヘアキャッチャー３の比重を十分に大きくすることができるため、排水時におけるヘアキャッチャー３の浮き上がりが極めて生じにくくなり、毛髪等をより確実に捕集することができる。
【００８６】
加えて、捕集部３３は、孔部３３Ａが六角形状をなすハニカム形状とされている。従って、捕集部３３のほぼ全域において各孔部３３Ａの面積を一定とすることができ、毛髪等の捕集能力を一層向上させることができる。また、捕集部３３の孔部３３Ａ間に位置する部位の幅がほぼ一定となり、一部の幅が著しく大きくなってしまうといった事態が生じない。そのため、捕集部３３の強度確保を図りつつ、通水面積を効果的に大きくすることができ、良好な排水能力を実現することができる。
【００８７】
さらに、筒状部材４に設けられた溝部４１Ｃによって、筒状部材４の内周において蓋軸５３をスムーズに上下動させることができる。その結果、栓蓋５の上下動に伴い、第１リング部３１が排水口部材２から浮いてしまうことをより確実に防止でき、毛髪等を一層確実に捕集することができる。
【００８８】
また、本実施形態によれば、特別な工具などを用いることなく、筒状部材４に対してヘアキャッチャー３を容易に取付けることができ、ヘアキャッチャー構成体９を容易に製造することができる。さらに、簡易な手法によりヘアキャッチャー構成体９を得ることができるため、製造コストの効果的な低減を図ることができる。また、製造時にヘアキャッチャー３に大きな負荷が加わることがなく、本実施形態のようにヘアキャッチャー３が薄肉であっても、その変形や破損をより確実に防止することができる。
【００８９】
さらに、下側突部４１Ｂを弾性変形させ、被係止部４２Ａに対する下側突部４１Ｂの係止を解除しつつ、第２筒状部４２から第１筒状部４１を抜き取ることで、ヘアキャッチャー３と筒状部材４とを分離することが比較的容易に可能である。従って、ヘアキャッチャー３と筒状部材４とを分離した上で、両者を清掃することが可能となり、清掃性の向上を図ることができる。
【００９０】
また、第１筒状部４１のうち上側突部４１Ａよりも下側突部４１Ｂ側に位置する部位の外径Ｄ１が、第２リング部３２の内径Ｄ２よりも小さくされているため、第１筒状部４１を第２リング部３２へとスムーズに挿通することができる。従って、第２リング部３２に第１筒状部４１を挿通し、上側突部４１Ａと下側突部４１Ｂとの間に第２リング部３２を配置することが非常に容易となり、ヘアキャッチャー構成体９の製造を一層容易に行うことができる。また、製造時にヘアキャッチャー３に対して負荷がより加わりにくくなり、ヘアキャッチャー３の変形や破損を一層確実に防止することができる。
【００９１】
尚、上記実施形態の記載内容に限定されず、例えば次のように実施してもよい。勿論、以下において例示しない他の応用例、変更例も当然可能である。
【００９２】
（ａ）上記実施形態において、捕集部３３は、その表面を含む仮想面が湾曲面状となるように構成されているが、図７（ａ）〜（ｃ）に示すように、捕集部３４をその表面を含む仮想面が平面状となるように構成してもよい。
【００９３】
（ｂ）第１リング部は、上方側環状面及び下方側環状面を備えていればよく、その高さや外径等は特に限定されるものではない。例えば、図８（ａ）〜（ｃ）及び図９（ａ）〜（ｃ）に示すように、上方側環状面３５Ａ及び下方側環状面３５Ｂを設けつつ、第１リング部３５の高さが比較的大きくなるように構成してもよい。
【００９４】
（ｃ）上記実施形態において、捕集部３３の孔部３３Ａは六角形状をなしているが、孔部の形状はこれに限定されるものではない。従って、例えば、図９（ｂ）に示すように、孔部３６Ａが円形状をなすように捕集部３６を構成してもよい。
【００９５】
（ｄ）上記実施形態において、第２リング部３２は、その内周部分が湾曲形状とされているが、例えば、図７（ａ）、図８（ａ）及び図９（ａ）に示すように、平板状であってもよい。また、第２リング部を屈曲形状としてもよい。
【００９６】
（ｅ）上記実施形態において、ヘアキャッチャー３は鉄を主成分とする金属により形成されているが、鉄以外の金属（例えば、銅やアルミニウム等）を主成分とする金属によりヘアキャッチャーを形成してもよい。また、ヘアキャッチャーを樹脂（例えば、ＰＯＭやＰＰＳ）等により形成してもよい。
【００９７】
（ｆ）上記実施形態において、第１筒状部４１及び第２筒状部４２は樹脂により形成されているが、第１筒状部や第２筒状部の形成材料は特に限定されるものではなく、例えば、所定の金属により第１筒状部や第２筒状部を形成してもよい。尚、第１筒状部を金属により形成する場合には、第１筒状部のうち少なくとも下側突部の形成された部位を弾性変形可能とすべく、第１筒状部の所定部位を薄肉としたり、第１筒状部にその軸方向に延びるスリットを設けたりしてもよい。
【００９８】
（ｇ）上記実施形態において、筒状部材４は第１筒状部４１と第２筒状部４２とが組合わされることで構成されているが、図１０に示すように、筒状部材１０が一部材から構成されるものであってもよい。
【００９９】
（ｈ）上記実施形態では、被接触物としての排水口部材２に第１リング部３１が載置されることで、ヘアキャッチャー３が支持されるように構成されているが、被接触物としての槽体又は槽体に取付けられた排水口部材以外の部材に第１リング部３１が載置されることで、ヘアキャッチャー３が支持されるように構成してもよい。
【０１００】
（ｉ）上記実施形態では、排水口１０２を閉鎖する際に、栓蓋５のパッキン５２が排水
口部材２に接触するように構成されているが、パッキン５２が洗面器１００（槽体）に接触することで、排水口１０２が閉鎖されるように構成してもよい。
【０１０１】
（ｊ）上記実施形態において、ヘアキャッチャー３は、槽体としての洗面器１００に設けられているが、ヘアキャッチャー３の設置対象はこれに限定されるものではなく、例えば、洗面器１００以外の槽体（例えば、浴槽や流し台等）にヘアキャッチャーを設けることとしてもよい。
【０１０２】
（ｋ）上記実施形態では、排水口部材２を取付けるための取付部材６が設けられているが、排水口部材２に接続される前記配管に取付部材６としての機能を設け、取付部材６を省略してもよい。例えば、前記配管の内周に排水口部材２の雄ねじ部２１を螺合可能な雌ねじ部を設け、当該雌ねじ部に雄ねじ部２１を螺合し、鍔部２２及び前記配管の上端部間において底壁部１０１を挟み込むように構成することで、取付部材６を省略しつつ、排水口部材２を洗面器１００に取付けることとしてもよい。
【符号の説明】
【０１０３】
１…排水栓装置、３…ヘアキャッチャー、４…筒状部材、９…ヘアキャッチャー構成体、３１…第１リング部、３１Ａ…上方側環状面、３１Ｂ…下方側環状面、３２…第２リング部、３３…捕集部、３３Ａ…孔部、４１…第１筒状部、４１Ａ…上側突部、４１Ｂ…下側突部、４２…第２筒状部、４２Ａ…被係止部、１００…洗面器（槽体）、１０２…排水口。
【図１】
2015101852.tif 000003
【図２】
2015101852.tif 000004
【図３】
2015101852.tif 000005
【図４】
2015101852.tif 000006
【図５】
2015101852.tif 000007
【図６】
2015101852.tif 000008
【図７】
2015101852.tif 000009
【図８】
2015101852.tif 000010
【図９】
2015101852.tif 000011
【図１０】
2015101852.tif 000012